(57)【要約】【課題】  伸縮自在な格子状の間仕切りにおいて複数の間仕切り部材の意図しない摺動を確実に、かつ、簡易に規制して、設置箇所に合わせた設置幅に適切に維持する。【解決手段】  間仕切り１０は、２つの間仕切り１０Ａ、１０Ｂを相互に摺動可能に連結して伸縮自在に形成される。各間仕切り部材１０Ａ、１０Ｂは、枠体１２と、この枠体１２に支持される複数の線条体１４とを有する。この間仕切り１０は、間仕切り部材１０Ａ、１０Ｂの摺動を規制する摺動規制部材２０を備えている。この摺動規制部材２０は、略コの字状の固定金具２２から成り、この固定金具２２は、２つの間仕切り部材１０Ａ、１０Ｂの複数の線条体１４間の間隙が重畳する部分において、２つの間仕切り部材１０Ａ、１０Ｂの枠体１２に跨って配置される。【選択図】        図５
2009121221.tif 000002
【特許請求の範囲】
【請求項１】
複数の間仕切り部材を相互に摺動可能に連結して伸縮自在とした間仕切りであって、前記間仕切り部材は、枠体と前記枠体に支持される複数の線条体とを有し、前記間仕切りは、更に前記間仕切り部材の摺動を規制する摺動規制部材を備えていることを特徴とする間仕切り。
【請求項２】
請求項１に記載された間仕切りにおいて、前記摺動規制部材は、前記複数の間仕切り部材の枠体に跨って配置されて前記複数の間仕切り部材の摺動を規制することを特徴とする間仕切り。
【請求項３】
請求項１又は請求項２のいずれかに記載された間仕切りにおいて、前記摺動規制部材は、前記複数の間仕切り部材の前記複数の線条体間の間隙に挿入されることを特徴とする間仕切り。
【請求項４】
請求項１乃至請求項３のいずれかに記載された間仕切りにおいて、前記摺動規制部材は、前記複数の間仕切り部材の前記複数の線条体間の間隙が重畳する部分において、前記複数の間仕切り部材の枠体に跨って配置されることを特徴とする間仕切り。
【請求項５】
請求項１乃至請求項４のいずれかに記載された間仕切りにおいて、前記摺動規制部材は、前記複数の間仕切り部材の前記複数の線条体間の間隙に挿入された場合に、前記複数の間仕切り部材の前記線条体に跨って係合する切り欠き部を有していることを特徴とする間仕切り。
【請求項６】
請求項５に記載された間仕切りにおいて、前記摺動規制部材は、前記複数の間仕切り部材の前記線条体を跨ぐようにして前記複数の間仕切り部材の前記線条体間の間隙に差し込まれた状態で前記複数の間仕切り部材の摺動方向に回転して、前記切り欠き部が前記線条体に跨って係合することを特徴とする間仕切り。
【請求項７】
請求項１乃至請求項６のいずれかに記載された間仕切りにおいて、前記摺動規制部材は、略コの字状の形状を有する固定金具であることを特徴とする間仕切り。
【請求項８】
請求項１乃至請求項７のいずれかに記載された間仕切りにおいて、前記摺動規制部材は、前記間仕切り部材の枠体又は線条体のいずれか一方又は双方に位置決めして固定されることを特徴とする間仕切り。
【請求項９】
請求項１乃至請求項８のいずれかに記載された間仕切りにおいて、前記間仕切りは、ペットの移動を規制することを特徴とする間仕切り。
【発明の詳細な説明】
【技術分野】
【０００１】
本発明は、屋内や屋外等において、犬等のペットの自由な移動を規制するため等に用いられる間仕切りの改良に関し、特に、伸縮自在な間仕切りにおいて、設置箇所に合わせた設置幅を簡易にかつ確実に維持することに関するものである。
【背景技術】
【０００２】
例えば、屋内等において、犬や猫等のペットが不意の箇所等に入らないよう、所定の範囲内に止めておくために、ペット等の移動を規制する手段として、簡易に設置できる間仕切りを使用することがある。
【０００３】
このようなペット用等の間仕切りにおいては、ペット等が閉塞感を感じないように、また、飼育者がペット等の状況を簡易に確認することができるように、枠体に所定の間隔を空けてワイヤ等の線条体等を支持して、格子状乃至は網状に形成された間仕切りとするのが一般的である。
【０００４】
このような間仕切りにおいては、複数の間仕切り部材を相互に摺動自在に連結して伸縮可能とし、間仕切りの設置幅を設置箇所の幅に適合させて設置することも提案されている（例えば、特許文献１〜３等参照）。
【０００５】
しかし、これらの伸縮自在な間仕切りにおいては、その設置幅を設置箇所に合わせて設定した後、その設定状態を保持するためには、複数の間仕切り部材を相互にボルトやナット等で連結することが必要であった。そのため、設置箇所の変更等に伴い、設置幅の再調整が必要になった場合等においては、ボルト・ナット等の脱着作業が必要となり、作業に多大な手間を要する問題があった。
【０００６】
また、この場合、間仕切りの重量を重く設定して、ペット等が衝突等した程度では、間仕切り部材が容易には変位することがないようにして、対応することも可能であるが、これでは、設置箇所に合わせるための本来の伸縮作業や間仕切りの運搬も困難となる問題が生じる。
【特許文献１】特許第３８２１２９９号公報
【特許文献２】特許第２８４０６３３号公報
【特許文献３】特開２０００−１３００４８号公報
【発明の開示】
【発明が解決しようとする課題】
【０００７】
本発明が解決しようとする課題は、上記の問題点に鑑み、伸縮自在な格子状の間仕切りにおいて複数の間仕切り部材の意図しない摺動を確実に、かつ、簡易に規制して、設置箇所に合わせて設置幅等の設定状態を簡易にかつ安定的に保持すると共に、設置幅を容易に再調整することができる間仕切りを提供することにある。
【課題を解決するための手段】
【０００８】
本発明は、上記の課題を解決するための第１の手段として、複数の間仕切り部材を相互に摺動可能に連結して伸縮自在とした間仕切りであって、間仕切り部材は、枠体と枠体に支持される複数の線条体とを有し、間仕切りは、更に間仕切り部材の摺動を規制する摺動規制部材を備えていることを特徴とする間仕切りを提供するものである。
【０００９】
本発明は、上記の課題を解決するための第２の手段として、上記第１の解決手段において、摺動規制部材は、複数の間仕切り部材の枠体に跨って配置されて複数の間仕切り部材の摺動を規制することを特徴とする間仕切りを提供するものである。
【００１０】
本発明は、上記の課題を解決するための第３の手段として、上記第１又は第２のいずれかの解決手段において、摺動規制部材は、複数の間仕切り部材の複数の線条体間の間隙に挿入されることを特徴とする間仕切りを提供するものである。
【００１１】
本発明は、上記の課題を解決するための第４の手段として、上記第１乃至第３のいずれかの解決手段において、摺動規制部材は、複数の間仕切り部材の複数の線条体間の間隙が重畳する部分において、複数の間仕切り部材の枠体に跨って配置されることを特徴とする間仕切りを提供するものである。
【００１２】
本発明は、上記の課題を解決するための第５の手段として、上記第１乃至第４のいずれかの解決手段において、摺動規制部材は、複数の間仕切り部材の複数の線条体間の間隙に挿入された場合に、複数の間仕切り部材の線条体に跨って係合する切り欠き部を有していることを特徴とする間仕切りを提供するものである。
【００１３】
本発明は、上記の課題を解決するための第６の手段として、上記第５の解決手段において、摺動規制部材は、複数の間仕切り部材の線条体を跨ぐようにして複数の間仕切り部材の線条体間の間隙に差し込まれた状態で複数の間仕切り部材の摺動方向に回転して、切り欠き部が線条体に跨って係合することを特徴とする間仕切りを提供するものである。
【００１４】
本発明は、上記の課題を解決するための第７の手段として、上記第１乃至第６のいずれかの解決手段において、摺動規制部材は、略コの字状の形状を有する固定金具であることを特徴とする間仕切りを提供するものである。
【００１５】
本発明は、上記の課題を解決するための第８の手段として、上記第１乃至第７のいずれかの解決手段において、摺動規制部材は、間仕切り部材の枠体又は線条体のいずれか一方又は双方に位置決めして固定されることを特徴とする間仕切りを提供するものである。
【００１６】
本発明は、上記の課題を解決するための第９の手段として、上記第１乃至第８のいずれかの解決手段において、間仕切りは、ペットの移動を規制することを特徴とする間仕切りを提供するものである。
【発明の効果】
【００１７】
本発明によれば、上記のように、複数の間仕切り部材の摺動を規制する摺動規制部材を設けているため、設置後において複数の間仕切り部材の意図しない変位を回避して、伸縮自在な間仕切りを設定した設置幅に適切に維持することができる実益がある。また、本発明によれば、上記のように、この摺動規制部材を２つの間仕切り部材の枠体に跨って取り付けるだけで、２つの間仕切り部材の摺動を規制することができるため、ボルト・ナットの脱着作業などの面倒な作業を要することなく、伸縮自在な間仕切りを設定した設置幅に簡易に維持することができる実益がある。
【００１８】
本発明によれば、上記のように、摺動規制部材は、複数の間仕切り部材の線条体に跨って係合する切り欠き部を有しているため、摺動規制部材の位置決めを容易に行うことができると共に、ペット等の悪戯やペット等の衝突による衝撃によっても、摺動規制部材が容易に外れることがないと同時に、複数の間仕切り部材のがたつきを防止することができ、伸縮自在な間仕切りを設定した設置幅に確実に安定的に維持することができる実益がある。また、その結果、本発明によれば、ペット等がワイヤ等の線状体間の間隙から手足等を出していたり、間仕切りに衝突等しても、ワイヤ等の線条体の間にペット等が手足等を挟み込まれるのを防止することができる実益もある。
【発明を実施するための最良の形態】
【００１９】
本発明の実施の形態を図面を参照しながら詳細に説明すると、図１乃至図３は、本発明の間仕切り１０を示し、この間仕切り１０は、特に図２に示すように、壁際や廊下等に設置されて、犬、特に、小型犬や、猫等のペットの移動を規制するために使用される。
【００２０】
図示の実施の形態では、この間仕切り１０は、図１乃至図３に示すように、２つの間仕切り部材１０Ａ、１０Ｂを、図３及び図４に示すように、相互に摺動自在に連結して伸縮自在とされている。各間仕切り部材１０Ａ、１０Ｂは、図１乃至図３に示すように、枠体１２と、この枠体１２に支持される複数の線条体１４とを有している。
【００２１】
この複数の線条体１４としては、ある程度の強度の確保を考慮して、スティール等から形成されたワイヤ等を使用することができ、その太さ等も、移動を規制すべき対象に応じて、適宜調整して強度を決定することができる。もっとも、この線条体１４にペット等が衝突して打撲等の負傷をしないように、ある程度は弾性変形して衝撃を吸収することができる程度の寸法、強度とすること、具体的には、５ｍｍ程度の直径とすることが好ましい。この意味で、ある程度の強度を有しつつ、弾性変形することもできれば、スティール以外の、ポリプロピレン、ポリカーボネート、ポリエチレン、ポリスチレン、ポリ塩化ビニル、ＡＢＳ樹脂等の樹脂製材料から形成することもできる。
【００２２】
また、これらの複数の線条体１４間の間隔、ひいては、設置本数も、移動を規制すべき対象に応じて適宜決定することができるが、複数の線条体１４の中心軸間の間隔を４ｃｍ程度、複数の線条体１４間の間隙を３．５ｃｍ程度に設定すれば、犬や猫等の種類を考慮を考慮しても、大抵のペットには汎用的に対応することができる。
【００２３】
一方、枠体１２は、図４に示すように、複数の線条体１４の端部が挿入される孔部１２ａを有し、この孔部１２ａにより線条体１４を支持している。この枠体１２は、ある程度の強度や加工性を確保しつつ、同時に意匠性及び軽量性をも確保する観点から、木材等から形成することが好ましい。各線条体１４は、図１乃至図３に示すように、線条体１４の上端及び下端が枠体１２に保持されて、容易には枠体１４から外れないように設置されている。なお、図面において、符号１６は、この枠体を支持する脚部を示し、この脚部１６は、ある程度の強度を考慮して、例えば、スティールから形成することができる。
【００２４】
これらの相互に摺動自在に連結される間仕切り部材１０Ａ、１０Ｂは、図４に示すように、平行に配置された上で、上端及び下端において２つの間仕切り部材１０Ａ、１０Ｂの枠体１２に跨って取り付けられる摺動片１８により、相互に摺動自在に連結され、図３に示すように、摺動により幅方向（左右方向）に伸縮自在とすることができる。このため、図３に示すように、間仕切り１０は、設置箇所に合わせて設置幅を調整することができると共に、この設置幅の調整により間仕切り１０を開閉して、ペット等の出し入れを容易にするゲートとすることができる。
【００２５】
この摺動片１８は、図４に示すように、枠体１２のうち、各間仕切り部材１０Ａ、１０Ｂの左端又は右端付近（左右方向において枠体１２が存在しない側の端部付近）に設置されて、相互に、一方の枠体１２に固定される反面、他方の間仕切り１０の枠体１２には摺動自在に跨って設置される。このため、摺動片１８は、２つの間仕切り部材１０Ａ、１０Ｂを連結した図示の実施の形態においては、図１乃至図３に示すように、上方及び下方の枠体１２の各々につき、２つの摺動片１８（上下合わせて計４つの摺動片１８）が設置される。
【００２６】
これにより、摺動片１８は、図３に示すように、相互に連結された２つの間仕切り部材１０Ａ、１０Ｂのうち、固定された側の間仕切り１０Ａ、１０Ｂと共に移動し、図３（Ａ）に示すように、最も収縮された状態においては、自らが固定されていない側の間仕切り部材１０Ａ、１０Ｂの枠体１２（左右に配置される枠体１２Ａ又は１２Ｂ）に近接するように位置すると共に、この他方の間仕切り１０Ａ、１０Ｂの左右に配置された枠体１２Ａ、１２Ｂに当接して、それ以上の収縮が規制される一方、この状態から、図３（Ｂ）に示すように、どちらか一方の又は双方の間仕切り部材１０Ａ、１０Ｂを左右の枠体１２Ａ、１２Ｂが相互に離反する方向に摺動させることにより、伸長することができ、最も伸長された状態においては、摺動片１８同士が相互に当接して、それ以上の伸長が規制されて、２つの間仕切り部材１０Ａ、１０Ｂが分離してしまうことがない。
【００２７】
本発明の間仕切り１０は、図５に示すように、これらの間仕切り部材１０Ａ、１０Ｂの摺動を規制する摺動規制部材２０を備えている。図示の実施の形態では、この摺動規制部材２０は、図５に示すように、略コの字状の形状を有する固定金具２２であるのが示されている。
【００２８】
この摺動規制部材２０である固定金具２２は、図５（Ｃ）に示すように、２つの間仕切り部材１０Ａ、１０Ｂの枠体１２に跨って配置される。この場合、図示の実施の形態では、この固定金具２２は、図５（Ｃ）に示すように、コの字の開口部を下方に向けて、下方の枠体１２に上方から覆い被さるようにして、下方の枠体１２に跨って取り付けられる。
【００２９】
また、この固定金具２２は、図５（Ｃ）に示すように、２つの間仕切り部材１０Ａ、１０Ｂの複数の線条体１４間の間隙に挿入されて、枠体１２に取り付けられる。より具体的には、固定金具２２は、図５（Ｃ）に示すように、２つの間仕切り部材１０Ａ、１０Ｂの複数の線条体１４間の間隙が重畳する部分において、２つの間仕切り部材１０Ａ、１０Ｂの枠体１２に跨って配置される。
【００３０】
従って、摺動規制部材２０である固定金具２２は、設置後においては、図５（Ｃ）に示すように、その左右に存在する２つの間仕切り部材１０Ａ、１０Ｂの線条体１４に係合して、その変位を抑止することにより、２つの間仕切り部材１０Ａ、１０Ｂの摺動を規制することができる。このため、間仕切り１０の設置後において、ペット等の悪戯や衝突等によっても２つの間仕切り部材１０Ａ、１０Ｂの意図しない変位を回避することができるため、間仕切り１０を設置箇所に合わせた設置幅に適切に維持することができ、また、ワイヤ等の線条体１４の間にペット等が手足等を挟み込まれるのを防止することができる。
【００３１】
この場合には、特に、この摺動規制部材２０である固定金具２２は、図５に示すように、枠体１２のうち、摺動片１８が存在する箇所に取り付けることが望ましい。摺動片１８は、上記の通り、２つの間仕切り部材１０Ａ、１０Ｂに跨って設置されてるため、必ず２つの間仕切り部材１０Ａ、１０Ｂが重畳する部分に存在するため、固定金具２４の適切な取付位置の目安と成ると共に、枠体１２の他の箇所に比べて前後方向への厚み及び高さがあるため、固定金具２２との接触面積も多く、固定金具２２の固定に適しているからである。また、摺動片１８に跨って取り付けられるため、２つの間仕切り部材１０Ａ、１０Ｂの摺動片１８間の境界線を隠蔽することもでき、見栄えも良くなる利点もある。この場合には、図５（Ｃ）に示すように、摺動片１８は、枠体１２のうち、線条体１４間の枠体１２部分に設置する。
【００３２】
このように、固定金具２２の適切な取付位置として、枠体１２のうち、摺動片１８が存在する箇所を設定した場合、摺動規制部材２０である固定金具２２の幅、高さ、奥行き等も、摺動片１８に合わせて設定する。この場合、特に、設置後において左右の線条体１４との間の間隙があまりに大きいと、２つの間仕切り部材１０Ａ、１０Ｂの摺動を確実に防止することができないため、線条体１４間の間隙とほぼ同等か、又はそれ以上の大きさとすることが望ましい。なお、この場合、図３（Ａ）に示す左右の摺動片１８のいずれか一方のみに固定金具２２を取り付ければ、２つの間仕切り部材１０Ａ、１０Ｂの摺動を規制することができるが、より安定的に摺動を規制するためには、左右の摺動片１８の両方において固定金具２２を取り付けることが望ましい。
【００３３】
また、この摺動規制部材２０である固定金具２２は、図示の実施の形態では、図５及び図６に示すように、２つの複数の間仕切り部材１０Ａ、１０Ｂの複数の線条体１４間の間隙に挿入された場合に、これらの２つの間仕切り部材１０Ａ、１０Ｂの線条体１４に跨って係合する切り欠き部２２Ａを有している。
【００３４】
この切り欠き部２２Ａが、特に、図６に示すように、枠体１２への取付後において、２つの間仕切り部材１０Ａ、１０Ｂの線条体１４に跨って係合する結果、固定金具２２の突出部２２Ｂが線条体１４を囲むように位置するため、ペット等の悪戯やペット等の衝突による衝撃によっても、固定金具２２が線条体１４や枠体１２から容易に外れることがないと同時に、２つの間仕切り部材１０Ａ、１０Ｂのがたつきを防止することができ、伸縮自在な間仕切り１０を設定した設置幅に確実に安定的に維持することができる。
【００３５】
この摺動規制部材２０である固定金具２２の枠体１２への取付は、まず、図５（Ａ）に示すように、切り欠き部２２Ａを下方に向けた状態で、コの字状の開口部を線条体１４に向けた状態で、線条体１４を挟むようにして線条体１４間の間隙に差込み、２つの間仕切り部材１０Ａ、１０Ｂの線条体１４を跨ぐようにして２つの間仕切り部材１０Ａ、１０Ｂの線条体１４間の間隙を横切らせる。次いで、図５（Ｂ）に示すように、２つの間仕切り部材１０Ａ、１０Ｂの摺動方向（図５（Ｂ）の矢印参照）に回転させた後、図５（Ｃ）に示すように、開口部を下方に向けることにより切り欠き部２２Ａを線条体１４に跨って係合させ、最後に、図５（Ｃ）の矢印に示すように、固定金具２２を下方に向けて押し下げることにより、枠体１２に取り付けることができる。
【００３６】
これにより、摺動規制部材２０である固定金具２０は、下方に伸びる辺部において２つの間仕切り部材１０Ａ、１０Ｂの枠体１２の摺動片に位置決めして固定されると共に、切り欠き部２２Ａが線条体１４に係合して位置決めして固定される。このため、ボルト・ナット等の脱着作業を要することなく、摺動規制部材２０である固定金具２２を枠体１２に被せるだけで、間仕切り１０を設置箇所に合わせた設置幅に適切に維持することができると同時に、設置箇所の変更等に伴い、間仕切り１０の設置幅を再調整する必要が生じた場合にも簡易に対応することができる。この場合、特に、図５（Ｃ）に示す固定金具２２の開口部を下方に向けた状態において、切り欠き部２２Ａを線条体１４に係合させながら、固定金具２２下方に押し下げることができるため、取付時に固定金具２２が位置ずれ等することがなく、この切り欠き部２２Ａによって、摺動規制部材２０である固定金具２２の位置決めを容易に行うことができる。
【００３７】
なお、図示の実施の形態では、摺動規制部材２０である固定金具２２を、２つの間仕切り部材１０Ａ、１０Ｂの複数の線条体１４間の間隙が重畳する部分に取り付けたが、２つの間仕切り部材１０Ａ、１０Ｂの摺動を規制することができれば、必ずしも取付位置は限定されず、他に、例えば、多少の厚みを有する固定部材を用いて、摺動片１８が設置されている線条体１４間の隣の線条体１４間の間隙に取り付けて、当該厚み部分を摺動片１８に当接させることにより、複数の間仕切り部材１０Ａ、１０Ｂの摺動を規制することもできる。
【００３８】
同様に、図示の実施の形態では、摺動規制部材２０である固定金具２２を、下方の枠体１２に取り付けたが、枠体１２の周囲を囲むように設置することができる固定金具とすることにより、上方の枠体１４に取り付けることもできる。この場合には、下方又は上方乃枠体のいずれか一方又は双方に摺動規制部材２０を設置することができ、特に、上下の枠体１２に設置した場合には、より確実に２つの間仕切り部材１０Ａ、１０Ｂの摺動を規制することができる。
【００３９】
また、図示の実施の形態では、２つの間仕切り部材１０Ａ、１０Ｂから間仕切り１０を構成したが、複数の間仕切り部材を１０使用すれば、その数に特に限定はなく、例えば、３つ以上の間仕切り１０を相互に摺動自在に組み合わせることもでき、この場合には、線条体１４間の間隙が重畳する２つの間仕切り部材毎に、あるいは、３つ以上の間仕切り部材において、その全ての枠体１２に跨るように、摺動規制部材２０を設置することにより、同様に、複数の間仕切り部材の摺動を規制することができる。
【産業上の利用可能性】
【００４０】
本発明は、例えば、屋内や屋外に設置して、ペット等の移動を規制するパーテーションやゲートとして使用することができるほか、幼児等のベビーガードとして適用することもできる。
【図面の簡単な説明】
【００４１】
【図１】本発明の間仕切りの斜視図である。
【図２】図２は、本発明の間仕切りの使用状態を示し、同図（Ａ）はその平面図、同図（Ｂ）はその斜視図である。
【図３】図３は、本発明の間仕切りの伸縮状態を示し、同図（Ａ）は最も収縮された状態の正面図、同図（Ｂ）は最も伸長された状態の斜視図である。
【図４】本発明の間仕切りに使用される枠体及び摺動片の概略立て断面図である。
【図５】本発明の間仕切りに使用される摺動規制部材の取付状態を示す概略斜視図である。
【図６】本発明の間仕切りに使用される摺動規制部材の平面図である。
【符号の説明】
【００４２】
１０  間仕切り
１０Ａ、１０Ｂ  間仕切り部材
１２  枠体
１２ａ  孔部
１２Ａ、Ｂ  左右の枠体
１４  線条体
１６  脚部
１８  摺動片
２０  摺動規制部材
２２  固定金具
２２Ａ  切り欠き部
【図１】
2009121221.tif 000003
【図２】
2009121221.tif 000004
【図３】
2009121221.tif 000005
【図４】
2009121221.tif 000006
【図５】
2009121221.tif 000007
【図６】
2009121221.tif 000008